(57)【要約】【課題】設定の変更を行う上で使い勝手のよい録画装置を提供する。【解決手段】  ＤＶＤレコーダ１は、入力部２、符号化部３、記録／読取部４、信号処理部５、制御部９、フラッシュメモリ９９を備える。制御部９は、制御部９、録画予約処理９４、録画処理９５を実行するためのサブルーチンを有している。制御部９が設定受付処理９１（図３参照）、録画予約処理９４（図７参照）、録画処理９５（図８参照）のいずれかを行った場合に、設定受付処理９１、録画予約処理９４で定めた時間帯、または録画処理９５を行った時間帯については、設定された画質、音声、チャプタの情報の設定がフラッシュメモリ９９に記憶され、更新される。設定した時間帯と同じ時間帯について、今後、録画予約処理９４、録画処理９５をするときは、以前設定した時間帯については、以前設定した画質、音声、チャプタの情報のＯＳＤを出力する。【選択図】図３
2009015943.tif 000002
【特許請求の範囲】
【請求項１】
放送を受信する受信部と、
前記受信部が受信した放送を記録媒体に録画する録画部と、
録画する時間帯、前記放送のチャンネルの情報、前記録画部が録画する際の録画設定を含む予約設定を受け付けることにより、前記放送についての録画予約を受け付ける録画予約手段と、を備え、前記録画部は、前記予約設定に基づいて放送を録画する録画装置において、
前記録画部が録画する際の録画設定の初期値と、この録画設定を有効にする時間である実効時間帯の設定と、を予め受け付ける設定手段と、
前記設定手段で受け付けた前記録画設定および前記実効時間帯を記憶する記憶部と、を備え、
前記録画予約手段は、前記録画する時間帯の設定を受け付けると、当該時間帯について、前記記憶手段が前記録画設定の初期値を記憶している場合には、この初期値を前記予約設定の初期値として、この初期値の表示を出力する録画装置。
【請求項２】
前記録画部が放送を録画した場合には、前記記憶部は、前記録画部が新たに録画したときの録画設定、および録画した時間帯を、それぞれ前記設定手段が受け付ける前記録画設定の初期値および前記実効時間帯として新たに記憶する請求項１に記載の録画装置。
【請求項３】
前記録画予約手段が録画予約を受け付けた場合には、前記記憶部は、前記録画予約手段が受け付けた予約設定に含まれる録画設定および時間帯を、それぞれ前記設定手段が受け付ける前記録画設定の初期値および前記実効時間帯として新たに記憶する請求項１、２のいずれかに記載の録画装置。
【請求項４】
前記設定手段は、前記録画設定を、前記受信手段が受信する放送のチャンネルごとに別々に受け付け、
前記録画予約手段は、時間帯およびチャンネルの予約設定を受け付け、これらの設定を受け付けると、当該時間帯かつ当該チャンネルについて、前記記憶手段が前記録画設定の初期値を記憶している場合には、この初期値を前記予約設定の初期値として、この初期値の表示を出力する請求項１〜３のいずれかに記載の録画装置。
【請求項５】
前記録画部が放送を録画した場合には、
前記記憶部は、前記録画部が新たに録画したときの録画設定、録画した時間帯およびチャンネルを、それぞれ前記設定手段が受け付ける前記録画設定の初期値および前記実効時間帯、前記受信手段が受信する放送のチャンネルとして新たに記憶する請求項４に記載の録画装置。
【請求項６】
前記録画予約手段が録画予約を受け付けた場合には、前記記憶部は、前記予約設定に含まれる録画設定、時間帯およびチャンネルを、それぞれ前記設定手段が受け付ける前記録画設定の初期値、前記実効時間帯、および前記受信手段が受信する放送のチャンネルとして新たに記憶する請求項４、５のいずれかに記載の録画装置。
【請求項７】
前記設定手段は、前記時間帯として、１週単位の中の時間帯で前記録画設定を受け付けると共に、前記記憶部は、前記時間帯として、１週単位の中の時間帯で前記録画設定を新たに記憶する請求項１〜６のいずれかに記載の録画装置。
【発明の詳細な説明】
【技術分野】
【０００１】
本発明は、本体の設定の変更を受け付ける録画装置に関する。
【背景技術】
【０００２】
従来より、各種の初期設定を変える電子機器が実用化されている（特許文献１〜３等）。例えばＤＶＤレコーダであれば、初期設定のＯＳＤ（On-Screen Display）を出力し、所定のキー操作を受け付けて、画像のアスペクト比や、言語設定，チャンネル設定等を変えることができる。これにより、ユーザは、電子機器をカスタマイズすることができる。
【０００３】
特許文献１には、着信条件によって、ファックス、電話のモードを切り換える通信装置が開示されている。特許文献２には、演奏が行われる時間帯を判定する機能を備え、自動的に設定や読み出されるデータの切換を行って演奏する電子楽器が開示されている。特許文献３には、時間帯に応じてプロファイルに基づいたシステム動作を実行する、電子機器のシステム環境設定方法が開示されている。
【特許文献１】特開２００３−１０１７４６公報
【特許文献２】特開平１０−１１６０８０号公報
【特許文献３】特開２００４−１８５０５０公報
【発明の開示】
【発明が解決しようとする課題】
【０００４】
しかしながら、以上の特許文献には、録画装置を時間帯に応じて設定を変更することは記載されていない。録画装置の設定項目は数多く、ユーザとしては、複数の設定をセットで、毎回同じ設定に切り換えることがあるにもかかわらず、それぞれの項目を一々設定することは、わずらわしい作業であった。
【０００５】
また、録画時には、画質、音質と、消費するディスクの容量を少なくすることは、相反するから、ユーザは、これを前提として種々の設定をすることがある。例えば、ユーザは、語学番組の録画時には、高音質にする一方、画質はそれほど要求しないから、ビットレートを下げる設定を行う。また、映画では、画質、音質共に良くすると共に、アスペクト比をワイドにするなどの設定を行う。このようにユーザとしては、毎回決まった設定に切り換えるにもかかわらず、このような作業を行う必要があった。
【０００６】
そこで、設定の変更を行う上で使い勝手のよい録画装置を提供することを目的とする。
【課題を解決するための手段】
【０００７】
本発明は、上述の課題を解決するための手段を以下のように構成している。
【０００８】
（１）  放送を受信する受信部と、
前記受信部が受信した放送を記録媒体に録画する録画部と、
録画する時間帯、前記放送のチャンネルの情報、前記録画部が録画する際の録画設定を含む予約設定を受け付けることにより、前記放送についての録画予約を受け付ける録画予約手段と、を備え、前記録画部は、前記予約設定に基づいて放送を録画する録画装置において、
前記録画部が録画する際の録画設定の初期値と、この録画設定を有効にする時間である実効時間帯の設定と、を予め受け付ける設定手段と、
前記設定手段で受け付けた前記録画設定および前記実効時間帯を記憶する記憶部と、を備え、
前記録画予約手段は、前記録画する時間帯の設定を受け付けると、当該時間帯について、前記記憶手段が前記録画設定の初期値を記憶している場合には、この初期値を前記予約設定の初期値として、この初期値の表示を出力する。
【０００９】
この構成では、設定手段により、画質または音質またはチャプタ付けの周期のいずれか１以上を含む録画設定を、この録画設定が有効となる実効時間帯についての設定と共に、受け付けている。また、録画予約手段は、時間帯の予約設定を受け付けると、当該受け付けた時間帯について、記憶手段が録画設定を記憶している場合には、この表示を予約設定の初期値としてこの初期値の表示、例えばＯＳＤ（On-Screen Display）を出力する。したがって、この構成によれば、設定手段により時間に応じた設定を受け付けると、設定された時間について録画予約する場合には、ユーザが録画予約の設定を選択しなくても、予約設定の初期値を承諾するだけで、録画予約の設定ができる。したがって、録画予約時の設定の変更を行う上で使い勝手がよい。
【００１０】
なお、記憶手段が記憶する際にすでに古い設定を記憶している場合には、これを更新してもよいし、更新しなくてもよい。古い設定については言及していない。以下の構成も同様である。
【００１１】
（２）  前記録画部が放送を録画した場合には、前記記憶部は、前記録画部が新たに録画したときの録画設定、および録画した時間帯を、それぞれ前記設定手段が受け付ける前記録画設定の初期値および前記実効時間帯として新たに記憶する。
【００１２】
この構成では、前記録画部が放送を録画した場合には、前記記憶部が記憶している録画設定を、前記録画部が新たに録画したときの録画設定として新たに記憶する。したがって、いったん録画を行うと、録画した時間については、録画設定の初期値を用いることができ、ユーザが能動的に設定しなくても、一度、録画した時間帯については、録画予約の設定を選択しなくても、承諾するだけで、録画予約の設定を行うことができる。
【００１３】
（３）  前記録画予約手段が録画予約を受け付けた場合には、前記記憶部は、前記録画予約手段が受け付けた予約設定に含まれる録画設定および時間帯を、それぞれ前記設定手段が受け付ける前記録画設定の初期値および前記実効時間帯として新たに記憶する。
【００１４】
この構成では、録画予約を受け付けた場合には、前記記憶部は、前記予約設定に含まれる時間帯の情報について前記記憶手段が記憶している録画設定を、前記録画部が新たに録画したときの予約設定に更新する。したがって、再度、同じ時間帯に録画予約する場合には、同じ設定が初期値として表示されることになるから、ユーザは、別途の操作で能動的に設定しなくても、録画予約時に初期値として選択される。したがって、同じ時間帯に録画予約する場合には、録画予約の設定を選択しなくても、承諾するだけで、録画予約の設定を行うことができる。
【００１５】
（４）  前記設定手段は、前記録画設定を、前記受信手段が受信する放送のチャンネルごとに別々に受け付け、
前記録画予約手段は、時間帯およびチャンネルの予約設定を受け付け、これらの設定を受け付けると、当該時間帯かつ当該チャンネルについて、前記記憶手段が前記録画設定の初期値を記憶している場合には、この初期値を前記予約設定の初期値として、この初期値の表示を出力する。
【００１６】
この構成では、時間帯のみならず、チャンネルごとに設定を受け付ける。したがって、チャンネルごとの放送の内容に応じて、設定手段で受け付ける録画設定をより細かく設定することができる。
【００１７】
（５）  前記録画部が放送を録画した場合には、
前記記憶部は、前記録画部が新たに録画したときの録画設定、録画した時間帯およびチャンネルを、それぞれ前記設定手段が受け付ける前記録画設定の初期値および前記実効時間帯、前記受信手段が受信する放送のチャンネルとして新たに記憶する。
【００１８】
この構成では、時間帯のみならず、チャンネルごとに、録画設定を新たに記憶する。したがって、ユーザは、所定のチャンネル、所定の時間帯の放送を一旦録画した場合には、同じチャンネル、所定の時間帯の放送について、再度設定しなくても、その録画設定が、録画予約のときに初期値として出力される。したがって、録画予約の各項目の設定内容を選択しなくても承諾するだけで、このチャンネル、この時間帯で設定した設定内容で録画予約することができる。
【００１９】
（６）  前記録画予約手段が録画予約を受け付けた場合には、前記記憶部は、前記予約設定に含まれる録画設定、時間帯およびチャンネルを、それぞれ前記設定手段が受け付ける前記録画設定の初期値、前記実効時間帯、および前記受信手段が受信する放送のチャンネルとして新たに記憶する。
【００２０】
この構成では、時間帯のみならず、チャンネルごとに、前記記憶部が記憶している録画設定を、前記録画部が新たに録画したときの録画設定に更新する。この更新には、録画予約したときの設定を用いるから、ユーザは、設定手段を用いて、別途設定する必要はない。所定のチャンネル、所定の時間帯の放送を一旦録画予約した場合には、同じチャンネル、所定の時間帯の放送について、再度設定しなくても、その録画設定が、録画予約のときに初期値として出力される。したがって、録画予約の各項目の設定内容を選択しなくても承諾するだけで、このチャンネル、この時間帯で設定した設定内容で録画予約することができる。
【００２１】
（７）  前記設定手段は、前記時間帯として、１週単位の中の時間帯で前記録画設定を受け付けると共に、前記記憶部は、前記時間帯として、１週単位の中の時間帯で前記録画設定を新たに記憶する。
【００２２】
放送番組には、１週当たりの周期性が見られる。この構成では、記憶部が１日ごとの時間帯でなく、１週単位の中の時間帯で記憶することにより、曜日ごとの放送番組の傾向にも対応して、前記録画設定を別々に記憶することができるから、より細かく録画設定を管理することができる。これにより、録画予約手段は、曜日ごとに異なった設定を初期値として出力することができる。このような初期値の表示を出力することにより、より的確な設定をユーザに提示することができる。したがって、ユーザは各種の設定項目を選択する必要なく、設定の初期値について承諾するだけで、録画予約の予約設定を行うことができる。
【発明の効果】
【００２３】
本発明の録画装置によれば、設定の変更を行う上で使い勝手のよい録画装置を提供することができる。
【発明を実施するための最良の形態】
【００２４】
図１は、この発明の実施形態であるＤＶＤレコーダ１の主要部の構成を示すブロック図である。この実施形態のＤＶＤレコーダ１は、ＤＶＤ等の記録媒体への映像信号の記録、および記録媒体に記録されている録画ファイルの再生を行う。
【００２５】
この実施形態のＤＶＤレコーダ１にマウント可能なＤＶＤ１０は、書き換え可能なＤＶＤ−ＲＷなどや、追記可能な光ディスクＤＶＤ−Ｒなどであるが、本実施形態のＤＶＤに限らず、他の光ディスクに対して記録する場合でも、本装置を応用できる。また、記録媒体としては、記録できるものであれば、どのようなものでもよく、ＤＶＤに限らず、ハードディスク（ＨＤ）４２、メモリーカードを用いることができる。
【００２６】
入力部２には、映像信号、音声信号を入力する。この映像信号、音声信号は、例えば、アンテナ等（不図示）で受信したアナログ形式、デジタル形式のテレビ放送信号である。
【００２７】
符号化部３は、入力部２で入力した映像信号および音声信号を、録画できる形式にエンコードする。符号化部３は、このエンコードしたデータを記録／読取部４に出力する。
【００２８】
記録／読取部４は、記録媒体の１種である光ディスクドライブ４１と、ハードディスク４２（ＨＤ４２と略す）と、ハードディスクドライブ４３（ＨＤＤ４３と略す）を備える。光ディスクドライブ４は、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、光ディスクドライブ４１は、ＤＶＤ１０の記録・読取をする。ＨＤ４２は、記録媒体の１種である。ＨＤＤ４３は、ＨＤ４２に記録し、記録したデータを読み出す。
【００２９】
信号処理部５は、復調部５１、デコーダ５２、ＯＳＤ合成部５３を備えている。復調部５１は、ディスクドライブ４が読み取ったＲＦ信号に対し、８／１６変調の復調を行い、誤り訂正を行う。デコーダ５２は、映像データと音声データを分離し、分離したデータをデコードする。ＯＳＤ合成部は、制御部９が発行するコマンドに基づいてＯＳＤ合成部５の文字、キャラクタ等のＯＳＤ（On-Screen Display）を合成する。デコーダから映像信号が出力されている場合には、この映像信号とＯＳＤ（On-Screen Display）を合成し、出力部６に出力する。また、映像信号の出力を禁止して、ＯＳＤのみを出力してもよい。
【００３０】
出力部６は、Ｄ/Ａ変換器等を備え、信号処理部５で処理された映像信号、音声信号をＤ/Ａ変換する。出力部６は、Ｄ/Ａ変換した映像信号、音声信号を同期させて、表示器１１、スピーカ１２に出力する。
【００３１】
操作部８は、装置本体に対する操作を指示する入力を受け付ける。操作部８は、複数の操作キーや、図示していないリモコン装置から送信されてきた装置本体に対する制御コードを受信するリモコン受信部を有している。操作部８は、ユーザにより操作された操作キーに応じた入力を受け付け、これらの入力に対応したコードや、リモコン受信部で受信したコードを制御部９に伝達する。例えば操作部８は、録画（即ち、映像信号のＤＶＤ１０への記録）の指示の入力や、録画の予約の入力を受け付ける。
【００３２】
制御部９は、マイコンまたは、マイコンを含むシステムＩＣで構成し、ＣＰＵ、ＲＡＭ、制御データ格納用のＲＯＭ９００を備える。ＲＯＭ９００は、設定処理９０、録画予約処理９４、録画処理９５、チャプタ設定処理９６を実行するためのサブルーチンを記憶しており、これらを呼び出して各種のサブルーチンを実行する。これにより、制御部９は、以上で示した装置のうち２〜６の各部の動作を制御する。
【００３３】
設定処理９０は、時分割で、ＤＶＤレコーダ１を所定の設定に切り換える処理である。設定処理９０は、設定受付処理９１、設定切換処理９２、事後処理９３を含む。設定受付処理９１により、ＤＶＤレコーダ１の動作の設定を時間の設定と共に受け付ける。設定切換処理９２により設定された時間帯については、所定の設定に従ってＤＶＤレコーダ１が動作する。例えば、録画処理９５を行う時には、チャプタ設定処理９６によりチャプタを設定しながら録画するが、そのチャプタ設定の間隔は、設定処理９０で設定された値を使用し、設定された時間帯だけ、その設定が有効となる（この時間帯は本発明の「実効時間帯」に相当する。）。その後、事後処理９３により、制御部９は、このように切り換えた設定を元に戻す。
【００３４】
録画予約処理９４は、録画予約の設定、例えば録画開始時刻、終了時刻、チャンネル等を受け付ける処理である。また、これらの設定を受け付ける際には、電子番組表を出力するようＯＳＤ合成部５１に指示する。
【００３５】
録画処理９５は、制御部９が、録画予約処理９４で設定した録画予約のデータに基づいて、録画動作の開始、停止等の制御を行う処理である。チャプタ設定処理９６は、録画処理９５のサブルーチンであり、録画しているファイルにチャプタを設定する処理である。チャプタを設定して記録媒体に録画した場合には、その記録媒体の再生時には、リモコンの所定のキーが押されるごとに、各々のチャプタの先頭に順次移動する。
【００３６】
フラッシュメモリ９９は、本発明の記憶部に相当する。フラッシュメモリ９９は、不揮発性のメモリである。フラッシュメモリ９９は、永続的に記憶することができ、かつ更新することができる。フラッシュメモリ９９は、制御部９に接続され（制御部９内部に包含していてもよい。）、必要な各種の制御情報を記憶する。例えば、設定処理９０で設定した設定内容のファイルを記憶している。フラッシュメモリ９９への記憶させるタイミングは、設定処理９０で設定した直後でもよいし、ＲＡＭに記憶しておいて、ＤＶＤレコーダ１のシャットダウン直前に保全する形態でもよい。
【００３７】
また、ＤＶＤレコーダ１には、表示器１１とスピーカ１２が接続されている。表示器１１は、出力部６から出力された映像信号に基づいて映像を表示する。スピーカ１２は、出力部６から出力された音声信号を増幅して音声を放出する。
【００３８】
次に、図２〜図６を用いて、設定処理９０のフローについて説明する。図２に示すように、設定処理９０は、設定受付処理９１（ＳＴ１）、設定切換処理９２（ＳＴ２）、事後処理９３（ＳＴ３）を順に行う。
【００３９】
図３は、設定受付処理９１を表わしている。また、ＳＴ１１、ＳＴ１３、ＳＴ１５の枠内の９１１、９１２、９１３は，ＯＳＤ（On-Screen Display）の例を表わしている。これらのステップでは、制御部９は、ＯＳＤのコマンドを信号処理部５のＯＳＤ合成部５３に発行し、ＯＳＤ合成部５３が、表示器１１に画面９０１〜９０３を出力する。
【００４０】
ＳＴ１１のＯＳＤ９０１は、ＤＶＤレコーダ１を所定の設定に切り換えられた状態が有効である時間帯の設定をユーザに促す。たとえば、開始日時、終了日時の入力を受け付ける画面を出力する。開始時刻と、有効になる時間幅の表示をしてもよい。画面９０１が出力されている状態で、ＳＴ１２で、この時刻設定を操作部８から受け付ける。
【００４１】
ＳＴ１３で、ＯＳＤ合成部５３は、設定項目選択画面のＯＳＤ９０２を出力する。ＯＳＤ９０２は、ＤＶＤレコーダ１で設定する項目を選択するようユーザに促す。図３の例では、オートチャプター（Auto Chapter）が太枠で囲まれることにより、ハイライト表示されており、これが選択されている状態であることを示している。この状態で、操作部８から所定のキー操作（例えば決定キーによる操作）を受けるとハイライト表示している部分が移動する。
【００４２】
ＯＳＤ９０２が出力されている状態で（ＳＴ１３）、ＳＴ１４で項目の選択を操作部８から受け付ける。ここでは、例えば、オートチャプター（Auto Chapter）が選択されたものとする。ＳＴ１５では、設定内容選択画面９０１を出力して、ＳＴ１４で選択された項目についてＤＶＤレコーダ１の設定をユーザに促す。この画面を出力している間に、ＳＴ１６で、ＤＶＤレコーダ１の設定の選択を受け付ける。図３のＳＴ１３で例えば、選択されている部分を太枠で囲むなどしてハイライト表示して、操作部８のカーソルキーでハイライトを移動するようにしてよい。
【００４３】
以上のようにして設定を受け付けると、ＳＴ１１で設定した時間帯に、録画する場合には、制御部９は、チャプタ設定処理９４により、設定された時間間隔ごとに（図３の例では５分ごとに）、チャプタの情報を、録画するファイルに記録する。
【００４４】
図４は、ＳＴ１４で選択できる設定項目のうち、画質設定（図４（Ａ））、音質設定（図４（Ｂ））がユーザにより選択された場合に、それぞれＳＴ１５で出力する画面９０４、９０５を表わしている。
【００４５】
図４（Ａ）のＯＳＤ９０４は、ＥＰ、ＬＰ、ＳＰ、ＨＤの画質設定モードの選択を受け付ける画面である。これらのモードは、画質のビットレートの所定の段階を表わしている。また、図４（Ａ）の例では、ＯＳＤ９０４は、現在ＳＰが選択されていることを表わしている。この状態で、所定のボタンを押し下げると、ＳＰモードが設定される。ＳＴ１１で設定した時間帯に、制御部９が録画処理９５を行う場合には、制御部９は、ＳＴ１４で設定された画質設定で（図４（Ａ）の例では、ＳＰモード）で、チャプタの情報を録画するファイルに記録する。
【００４６】
図４（Ｂ）のＯＳＤ９０５は、モノラル（mono）、ステレオ（Stereo）、サラウンド（Surround）の音質設定モードを表示する。これらのモードは、音声の出力方法を表わしている。また、画面９０５は、現在monoが選択されていることを表わしている。このようにして設定すると、ＳＴ１１で設定した時間帯に出力部６から音声を出力する場合には、制御部９は、ＳＴ１４で設定された音質設定で（図４（Ａ）の例では、モノラルモード）で、音声をスピーカ１２に出力する。
【００４７】
図５は、設定切換処理９２を表わしている。ＳＴ２１では、開始時刻になったかどうかどうか判断し、開始時刻になるまで（ＳＴ２１のＮＯ）待機する。開始時刻になると（ＳＴ２１のＹＥＳ）、ＳＴ２２で、設定受付処理９１で設定された予約内容に基づき、設定を変更する。たとえば、ＳＴ２２では、フラッシュメモリ９９の内容に記憶した現在の設定内容をＲＡＭにロードしてもよい。この場合には、制御部９がＲＡＭを参照して、変更後の設定内容を各処理のサブルーチンに入力する。
【００４８】
図６は、事後処理９３を表わしている。ＳＴ３１は、ＳＴ１１で設定した終了時刻（以下、単に終了時刻と称する。）になったかどうかを判断する。終了時刻になるまでこの処理の実行を待機する（ＳＴ３１のＮＯ）、終了時刻になると（ＳＴ３１のＹＥＳ）、ＳＴ３２で、フラッシュメモリ９を参照して、設定内容をデフォルトの設定に戻す。
【００４９】
なお、設定受付処理９１を繰り返すなどして、複数の設定を同時に受け付けるようにしてもよい。この場合には、フラッシュメモリ７を参照して、ＤＶＤレコーダ１がある設定に切り換えられた後、その切り換えられた設定の終了時刻から、新たな設定が始まる場合には、設定切換処理９２を新たに行う。
【００５０】
また、制御部が設定を読み出すときに、ＲＡＭの一定のアドレス以下のデータを読み出すようにしている場合には、以下のようにしてもよい。すなわち、設定切換処理９２において、ＳＴ２１の開始時刻の前に（たとえば５秒前に）、予めこの設定をほかのアドレス位置にコピーして、退避しておくことができる。また、設定受付処理９１で設定された開始時刻になると（ＳＴ２１のＹＥＳ）、ＳＴ２２で制御部が設定を読み出すアドレスに新しい設定を書き込む。また、その設定の終了時刻になると（図６のＳＴ３１のＹＥＳ）、ＳＴ３２で退避した設定内容を制御部が設定を読み出すアドレスに書き込む。
【００５１】
また、以上の説明では、ＳＴ２２、ＳＴ３２では、設定変更、設定の戻しを行うとした。しかし、制御部９がこれらの各処理において、フラッシュメモリ９９の内容を読み込んで、これに基づいて各種の処理を行ってもよい。この場合には、各処理を行うごとにフラッシュメモリ９９の内容を読みこんで、その内容と合致する設定だけを実行するから、わざわざ設定変更する必要はなく、ＳＴ２１、ＳＴ２２、ＳＴ３１、ＳＴ３２のフローに従う必要はない。
【００５２】
図７は、録画予約処理９４のときに表示されるＯＳＤの例を表わしている。図７（Ａ）は、電子番組表であり、チャンネルと時刻と放送番組が並んでいる。ユーザは、この電子番組表の中から操作部８により番組を選択すると、ＤＶＤレコーダ１にチャンネル、開始時刻、終了時刻が入力される。
【００５３】
図７（Ｂ）の画面９４２は、これらのチャンネル、開始時刻、終了時刻の調整および画質、音質、チャプタ設定の選択を受け付ける画面である。画面９４２には、これらの設定の一覧を表示するテーブル９４３と、これらの設定の承諾を受け付け、ＤＶＤレコーダ１に予約設定を行うボタン９４４が並んでいる。テーブル９４３を表示するとき、設定受付処理９１で受け付けた設定を初期値として表示する。例えば、図３、図４で示すように画質をＳＰ，音質をモノラル、チャプタを５分毎とする設定にした場合には、画面９４２に表示する設定は、設定受付処理９１で入力された設定とする。これにより、予め設定受付処理９１で設定したとおりの設定が表示されるので、ユーザは一々設定しなくてもよく、使い勝手が向上する。ユーザは、この初期値に対し変更が必要である場合に、項目を選択して改めて修正できるよう、制御部９は、操作部８から項目選択および設定を受け付ける。また、ＯＳＤ９４３の各内容が設定された状態で、予約設定９４４の項目を選択し、所定の決定ボタンが押された場合には、この内容で予約設定を受け付ける。
【００５４】
また、画面９１１で画質、音質、チャプタの各設定が修正された場合には、フラッシュメモリ９９に記憶した設定を更新する。
【００５５】
次に、図８は、図示しない録画キーが押された場合に表示される画面９５１を表わしている。録画キーが押されると、映像に重ねて、画質、音質、チャプタのテーブル９５２が表示される。このときに表示される設定の初期値は、設定受付処理９１で設定された開始時刻から終了時刻までの間は、設定受付処理９１で設定された設定を用いるようにしてもよい。この状態で、そのまま録画開始キーが押された場合には、制御部９は、この設定で録画処理９５を開始する。
【００５６】
また、操作部８に簡単録画キーを設けてもよい。この簡単録画キーが押された場合には、テーブル９５２を表示することなく、現在の設定で直ちに録画を開始するようにする。この現在の設定は、設定受付処理９１で設定された開始時刻から終了時刻までの時間帯では、処理９１で設定された設定（画質、音質、チャプタ等）に切り換えられている。この時間帯では、この切り換えられた設定で録画する。
【００５７】
図９の例を用いて、フラッシュメモリ９９に記憶する設定データの例１、例２、例３について説明する。図９の例では、図２で示した時間帯についての設定を１種類として、複数種類の設定が記憶されている。図９（Ａ）の例１の場合には、そのデータ形式は、時間帯（例えば、１０時から１１時）、録画モード（例えば、ＳＰモード）、音声モード（例えば、サラウンドモード）、チャプタの順に記憶され、設定と設定の間には、「；」を用いて区切られた形式で記憶している。
【００５８】
例１のように記憶するためには、図３に示す設定受付処理９１では、ＳＴ１１のＯＳＤ９１１に示すような１週間単位の時間でなく、１日単位の時間の入力を受け付ける。また、図７（Ｂ）に示す録画予約のＯＳＤ９４２を表示するときは、図９（Ａ）の設定内容に基づいて、設定の初期値を表示する。したがって、１日内の時間帯が同じである限り、チャンネルを切り換えても、初期値として同じ設定を表示する。ユーザがこの状態で予約設定９４４の決定をすると、その内容で録画予約が設定される。例２についての以上の図７（Ｂ）の説明は、図８で示す録画時も同様である。また、簡単録画キーを設けたときは、チャンネルにかかわらず同じ設定で録画を開始する。
【００５９】
図９（Ｂ）の場合には、図９（Ａ）の例に加えて、チャンネル番号（ｃｈ３等）を付加している。この場合には、設定受付処理９１では、図３に示すＳＴ１１で、制御部９は、ＯＳＤ９１１に示すような１週間単位の時間でなく、１日単位の時間の入力を受け付ける。また、チャンネルの選択を併せて受け付けて、チャンネル毎の設定にする。
【００６０】
例２のように記憶するためには、図３に示す設定受付処理９１では、ＳＴ１１のＯＳＤ９１１に加えチャンネルの入力を受け付ける。また、図７（Ｂ）に示す録画予約のＯＳＤ９４２を表示するときは、図９（Ａ）の設定内容に基づいて、設定の初期値を表示する。制御部９は、録画予約するチャンネル、時間帯に対応するデータがフラッシュメモリ９９に記憶されている場合には、そのデータを表示する。したがって、１日内の時間帯が同じであっても、この初期値として、チャンネルごとに異なった設定を表示する。また、ＯＳＤ９４４のチャンネルを選択して、操作部８でチャンネルを切り換えると、ＯＳＤ合成部５３は、画質、音声チャプタを切り換える。ユーザが予約設定９４４の決定をすると、その内容で録画予約が設定される。また、例２について、以上の図７（Ｂ）の説明は、図８で示す録画時も同様である。さらに、簡単録画キーを設けたときは、入力部２が所定のチャンネルを選局している場合に、そのチャンネルについて設定受付処理９１で設定されている場合のみ有効になる。
【００６１】
図９（Ｃ）の場合には、図９（Ｂ）の例に加えて、曜日を付加している。図９（Ｃ）の例では、時間帯を１日ではなく１週間ごとに管理することができる。放送番組は、１週間毎の周期性があるから、より正確に放送番組の傾向に応じた録画設定を記憶することができる。
【００６２】
例３のように記憶するためには、設定受付処理９１では、ＯＳＤ９１１に示すような１週間単位の時間の入力を受け付ける。また、図７（Ｂ）に示す録画予約のＯＳＤ９４２を表示するときは、図９（Ａ）の設定内容に基づいて、曜日と共に、設定の初期値を表示する。この初期値は、所定のチャンネル、所定の曜日について録画予約する場合にのみ有効である。したがって、１日内の時間帯が同じであっても、チャンネルが互いに相違していれば、または、曜日が相違していれば、設定受付処理９１で設定した設定の範囲外となる。ユーザがこの状態で予約設定９４４の決定をすると、その内容で録画予約が設定される。また、例２について、以上の図７（Ｂ）の説明は、図８で示す録画時も同様である。さらに、簡単録画キーを設けたときは、入力部２が所定のチャンネルを所定の曜日に選局している場合において、設定受付処理９１の設定が有効になる。
【００６３】
以上のとおり、制御部９が設定受付処理９１（図３参照）、録画予約処理９４（図７参照）、録画処理９５（図８参照）のいずれかを行った場合に、設定受付処理９１、録画予約処理９４で定めた時間帯、または録画処理９５を行った時間帯については、設定された画質、音声、チャプタの情報の設定がフラッシュメモリ９９に記憶され、更新される。これにより、設定した時間帯と同じ時間帯について、今後、録画予約処理９４、録画処理９５をするときは、以前設定した時間帯については、以前設定した画質、音声、チャプタの情報のＯＳＤを出力する。したがって、ユーザは同じ時間帯については、各項目について同じ設定を繰り返す必要がない。また、以上のとおり、制御部９は、設定受付処理９１で、時間帯の概念に曜日を含めた１週単位としてもよいし、時間帯のみならずチャンネルごとに別々の設定を受け付けてもよい。
【００６４】
なお、以上のデータ形式は説明のために記載したものであり、実装上は、surroundなどと記述してフラッシュメモリ９９に記憶するのは、無駄が大きいから、コード化して記憶することも可能である。また、これらチャンネル番号、時間帯、録画モード、音声モード、チャプタ設定のセットに名称を付けて、設定のセットごとに記憶してもよい。また記憶するデータの配列順序はどのようなものでもよく、所定の時間帯に設定を切り換えられるようなデータ形式であればよい。また、図９（Ｃ）の場合には、チャンネル毎、１週間ごとに時間帯を設定したが、単にチャンネル毎でなくてもよく、単に１週間ごとに時間帯を記憶するようにしてもよい。
【００６５】
以上の実施形態について補足する。
【００６６】
録画予定時間Ｔ［Ｈ］でなく、録画開始時刻および録画終了時刻を受け付けてもよい。これらの要素によって受け付ける録画予約の時間帯は、本発明の「時間帯」に相当する。
【００６７】
図１の説明では、ＤＶＤレコーダ１の構成を機能ごとに分離したブロック図で説明したが、実装上は、これらの機能のうち、いずれかが複数の機能が一体となったシステムＩＣで構成してもよいし、図１に示す一つのブロックを複数に分離して構成してもよい。
【００６８】
また、図３、図４でハイライト表示の方法を太枠で囲むとしたが、これ以外にも、点滅させるなどの方法をとることができる。選択されていることが分かればよい。
【００６９】
図７（Ａ）では、電子番組表を表示する例を示したが、必ずしも電子番組表を出力しなくてもよく、コード入力その他の方法でチャンネル、開始時刻、終了時刻を指定してもよい。このように間接的にチャンネル、開始時刻、終了時刻を入力する場合でも、本発明の「録画設定を〜受け付ける」に相当する。また、図７（Ａ）の画面を表示させずに、図７（Ｂ）に示すＯＳＤ９４２を直ちに出力して、直接チャンネル、開始時刻、終了時刻を受け付けてもよい。この場合も、本発明の「録画設定を〜受け付ける」に相当する。
【００７０】
以上では、フラッシュメモリ９９は、画質、音声、チャプタについて設定を記憶するとしたが、その内容は、画質、音声、チャプタのいずれか１以上であればよい。また、以上の実施形態で適用できる設定内容は、これらに限らない。また、画質、音声、チャプタについて設定する内容については、以上で示したものや、ビットレートに限らず、画面の大きさ、インターレース等を設定してもよい。
【図面の簡単な説明】
【００７１】
【図１】本実施形態のＤＶＤレコーダの構成図
【図２】本実施形態のＤＶＤレコーダの設定処理のフロー図
【図３】本実施形態のＤＶＤレコーダの設定受付処理のフロー図
【図４】本実施形態のＤＶＤレコーダの設定受付処理の画面表示例
【図５】本実施形態のＤＶＤレコーダの設定切換処理のフロー図
【図６】本実施形態のＤＶＤレコーダの事後処理のフロー図
【図７】本実施形態のＤＶＤレコーダの録画予約処理を表わす図
【図８】本実施形態のＤＶＤレコーダの録画処理を表わす図
【図９】本実施形態のＤＶＤレコーダのフラッシュメモリに記憶するデータの例
【符号の説明】
【００７２】
１−ＤＶＤレコーダ、  ２−入力部、  ３−符号化部、
４−記録／読取部、  ４１−光ディスクドライブ、  ４２−ハードディスク（ＨＤ）、
４３−ハードディスクドライブ（ＨＤＤ）、
５−信号処理部、  ５３−ＯＳＤ合成部、  ６−出力部、
８−操作部、  ９−制御部、  ９００−ＲＯＭ、  ９１−設定受付処理、
９２−設定切換処理、  ９３−事後処理、
９４−録画予約処理、  ９５−録画処理、  ９６−チャプタ設定処理、
９９−フラッシュメモリ、  １０−ＤＶＤ、  １１−表示器、  １２−スピーカ
【図１】
2009015943.tif 000003
【図２】
2009015943.tif 000004
【図３】
2009015943.tif 000005
【図４】
2009015943.tif 000006
【図５】
2009015943.tif 000007
【図６】
2009015943.tif 000008
【図７】
2009015943.tif 000009
【図８】
2009015943.tif 000010
【図９】
2009015943.tif 000011